(57)【特許請求の範囲】
【請求項１】
地紋設定情報のロケールが前記地紋設定情報を解釈するときの環境ロケールと異なる場合に、前記地紋設定情報のロケールを前記環境ロケールに変換する変換ステップと、
ロケールが変換された前記地紋設定情報を解釈して地紋画像を生成する地紋画像生成ステップと、
生成された前記地紋画像と印刷対象画像とを合成して印刷データを生成する印刷データ生成ステップとをコンピュータに実行させるための印刷データ生成プログラム。
【請求項２】
前記変換ステップは、変換テーブルを用いて行うことを特徴とする請求項１に記載の印刷データ生成プログラム。
【請求項３】
前記変換テーブルは、前記印刷対象画像に付属していることを特徴とする請求項２に記載の印刷データ生成プログラム。
【請求項４】
前記変換ステップは、前記印刷対象画像に付属する前記地紋設定情報を用いて行うことを特徴とする請求項１に記載の印刷データ生成プログラム。
【請求項５】
地紋設定情報のロケールと地紋設定情報を解釈するときの環境ロケールとの一致の有無を判定するロケール依存判定部と、
前記ロケール依存判定部の判定結果に基づいて前記地紋設定情報を地紋設定の変換テーブルを参照して変更する地紋設定変換部と、
前記地紋設定変換部によって変更された地紋設定情報から地紋画像を生成する地紋画像生成部と、
前記地紋画像生成部によって生成された前記地紋画像と印刷対象画像とを合成して印刷データを生成する合成部とを備えることを特徴とする印刷データ生成装置。
【請求項６】
前記ロケール依存判定部は、前記地紋設定情報のロケールと前記環境ロケールとが不一致のとき、前記地紋画像生成部へ地紋設定情報を出力しないことを特徴とする請求項５に記載の印刷データ生成装置。
【請求項７】
前記ロケール依存判定部は、前記地紋設定情報のロケールと前記環境ロケールとが不一致のとき、その旨をユーザに通知するユーザ通知部を備えたことを特徴とする請求項５に記載の印刷データ生成装置。
【請求項８】
前記地紋設定変換部は、前記ロケール依存判定部により前記地紋設定情報のロケールと前記環境ロケールとが不一致と判定されたとき、前記変換テーブルの項目のうち存在しない項目に対応する部分の設定を破棄して地紋設定情報を作成することを特徴とする請求項５に記載の印刷データ生成装置。
【請求項９】
前記地紋設定変換部は、前記変換テーブルに、取得したロケールの項目が存在しないとき、地紋設定情報を所定の文字、図形の情報に変更することを特徴とする請求項５に記載の印刷データ生成装置。
【発明の詳細な説明】
【技術分野】
【０００１】
本発明は、地紋画像と文書データとを合成して印刷データを生成する印刷データ生成プログラム、印刷データ生成方法および印刷データ生成装置に関する。
【背景技術】
【０００２】
近年、不正コピーの抑止やコピー経路の追跡を目的として、コピーすると所定の文字列（文書名、日付、印刷者など）が出現するような地紋画像（複写牽制模様）をオリジナル文書の背景に合成して印刷する印刷システムが知られている（例えば、特許文献１参照。）。
【特許文献１】特開２００４−１１２６０６号公報
【発明の開示】
【発明が解決しようとする課題】
【０００３】
しかし、従来の印刷システムによると、地紋画像の言語と文書データの言語が異なる場合、地紋画像を合成したオリジナル文書の複写時に地紋画像の部分に文字化けが生じたり、日付表記の違いにより、地紋として印刷された文字列が本来の目的を果たさないおそれがある。
【０００４】
そこで、本発明の目的は、地紋画像のロケールがそれを解釈する環境ロケールと異なる場合でも、地紋画像の本来の目的を達成することができる印刷データ生成プログラム、印刷データ生成方法、及び印刷データ生成装置を提供することにある。
【課題を解決するための手段】
【０００５】
本発明の第１の態様は、上記目的を達成するため、地紋設定情報のロケールが前記地紋設定情報を解釈するときの環境ロケールと異なる場合に、前記地紋設定情報のロケールを前記環境ロケールに変換する変換ステップと、ロケールが変換された前記地紋設定情報を解釈して地紋画像を生成する地紋画像生成ステップと、生成された前記地紋画像と印刷対象画像とを合成して印刷データを生成する印刷データ生成ステップとをコンピュータに実行させるための印刷データ生成プログラムを提供する。
【０００６】
本発明の第２の態様は、上記目的を達成するため、地紋設定情報のロケールが前記地紋設定情報を解釈するときの環境ロケールと異なる場合に、前記地紋設定情報のロケールを前記環境ロケールに変換する変換ステップと、ロケールが変換された前記地紋設定情報を解釈して地紋画像を生成する地紋画像生成ステップと、生成された前記地紋画像と印刷対象画像とを合成して印刷データを生成する印刷データ生成ステップとを含むことを特徴とする印刷データ生成方法を提供する。
【０００７】
本発明の第３の態様は、上記目的を達成するため、地紋設定情報のロケールと地紋設定情報を解釈するときの環境ロケールとの一致の有無を判定するロケール依存判定部と、前記ロケール依存判定部の判定結果に基づいて前記地紋設定情報を地紋設定の変換テーブルを参照して変更する地紋設定変換部と、前記地紋設定変換部によって変更された地紋設定情報から地紋画像を生成する地紋画像生成部と、前記地紋画像生成部によって生成された前記地紋画像と印刷対象画像とを合成して印刷データを生成する合成部とを備えることを特徴とする印刷データ生成装置を提供する。
【０００８】
上記第１乃至第３の態様によれば、地紋設定情報のロケールと地紋設定情報を解釈する環境ロケールとが異なる場合は、地紋設定情報のロケールが環境ロケールに変換されて印刷対象画像と合成されるので、地紋画像が文字化けすることがなくなり、地紋画像の本来の目的を達成することのできる。
【０００９】
上記地紋設定情報とは、地紋画像の内容や種類、サイズ、色等の地紋画像を生成するのに必要な情報をいう。
【００１０】
上記ロケールとは、オペレーティングシステム（ＯＳ）等のソフトウェアにおいて、システム上の現在の国設定をいい、言語や、国・地域毎に異なる単位、記号、日付、時刻等の表記方法、通貨の単位等が含まれる。
【００１１】
上記地紋画像は、複写時に再現されない背景パターンと複写時に再現される隠しパターンとからなる。背景パターンの構成要素には、ドット状や斜線状が含まれるが、これらに限定されない。また、隠しパターンには、社外秘、コピー禁止、文書データの作成元等の文字の他に、記号、図形等も含まれる。
【００１２】
上記印刷対象画像には、文書データや、写真等の画像、写真等の画像を含む文書データ等が含まれる。
【００１３】
上記印刷データ生成装置は、パーソナルコンピュータ（ＰＣ）、ＰＤＡ(Personal Digital Assistance)等の文書データを作成または扱える情報端末装置等の印刷指示装置に適用することができる。また、上記印刷データ生成装置は、複写機やプリンタの他に、コピー、プリンタ、スキャナ、ファクス等の複数の機能を有する複合機等の印刷装置に適用することができる。
【発明の効果】
【００１４】
本発明によれば、地紋画像のロケールがそれを解釈する環境ロケールと異なる場合でも、地紋画像の本来の目的を達成することのできる。
【発明を実施するための最良の形態】
【００１５】
［第１の実施の形態］
（画像処理システムの構成）
図１は、本発明の第１の実施の形態に係る画像処理システムを示す。この画像処理システム１は、ローカルエリアネットワーク（ＬＡＮ），インターネット等のネットワーク（ＮＷ）４に接続され、印刷データ生成装置が適用されたクライアント装置２、及びプリンタ３により構成されている。
【００１６】
この画像処理システム１において、クライアント装置２から印刷対象画像としての文書データの印刷指示を行う場合、この文書データは、クライアント装置２にインストールされたプリンタドライバによってＰＤＬ(Printer Description Language)で記述された印刷データに変換され、ＮＷ４を介してプリンタ３へ送信され、プリンタ３により印刷が行われる。印刷対象画像は、文書データに限定されず、写真等の画像や、写真等の画像を含む文書データ等が含まれる。
【００１７】
また、画像処理システム１は、ロケール（locale）で定められた方式に基づいてデータの表記や処理を実行する。ロケールとは、オペレーティングシステム（ＯＳ）等のソフトウェアにおいて、システム上の現在の国設定をいい、言語や、国・地域毎に異なる単位、記号、日付、時刻等の表記方法、通貨の単位等が含まれる。
【００１８】
（クライアント装置の構成）
図２は、クライアント装置２の詳細構成を示す。このクライアント装置２は、例えば、パーソナルコンピュータ（ＰＣ）等から構成され、図示しないが、クライアント装置２の各部を制御するＣＰＵと、図５のフローチャートに示すような印刷データ生成プログラム等のＣＰＵの各種のプログラムを記憶するＲＯＭと、データやプログラムを一時的に記憶するＲＡＭと、データやプログラム等を記憶するＨＤＤ等の記憶部と、インターフェース回路と、キーボード，マウス等の入力部と、ＬＣＤ（液晶ディスプレイ）等の表示部等を備え、文書データに隠し文字及び背景パターンからなる地紋画像を重畳する機能を有する。
【００１９】
クライアント装置２は、地紋設定保存部２１、地紋設定取得部２２、ロケール保存判定部２３、地紋設定変換部２４、地紋画像生成部２５、合成部２６、ロケール取得部２７、ユーザ通知部２８、変換テーブル編集部２９、変換テーブル記憶部３０、および文書データ記憶部３１を備える。
【００２０】
地紋設定保存部２１、変換テーブル記憶部３０および文書データ記憶部３１は、例えば、ＨＤＤ等を用いて構成され、ユーザ通知部２８は、表示部を用いて構成され、地紋設定取得部２２、ロケール保存判定部２３、地紋設定変換部２４、地紋画像生成部２５、合成部２６、ロケール取得部２７、および変換テーブル編集部２９は、ＲＯＭやＲＡＭ、ＨＤＤに記憶されたプログラムやＡＳＩＣ(Application Specific IC)等を用いて実現することができる。また、変換テーブルは、プログラムに組み込んでもよい。
【００２１】
地紋設定保存部２１は、地紋画像の内容や種類、サイズ、色等の地紋設定情報を保存している。この地紋設定情報は、メモリカード，ＣＤ−ＲＯＭ等の記録媒体や、ＬＡＮ，インターネット等のネットワークを介してクライアント装置２に取り込まれ、地紋設定保存部２１に保存されているが、クライアント装置２で作成したものでもよい。
【００２２】
地紋設定取得部２２は、地紋設定保存部２１から地紋設定情報を取得し、ロケール取得部２７は、クライアント装置２のロケール（環境ロケール）を取得するものである。
【００２３】
ロケール保存判定部２３は、地紋設定取得部２２で取得した地紋設定情報から得られたロケールと、ロケール取得部２７で取得したクライアント装置２のロケールとが同一か否かを判定する。
【００２４】
地紋設定変換部２４は、ロケール保存判定部２３でロケール依存有り（ロケールが異なる）が判定されたとき、変換テーブル記憶部３０に記憶されている変換テーブルを参照してクライアント装置２のロケールに適合するように地紋設定情報の変換を行う。
【００２５】
地紋画像生成部２５は、地紋設定変換部２４によって変換された地紋設定情報、または変換される前の地紋設定情報に基づいて、ビットマップからなる地紋画像を生成する。なお、地紋画像は、ビットマップに限られない。
【００２６】
合成部２６は、文書データ記憶部３１から読み出した文書データに地紋画像生成部２５によって生成された地紋画像を重畳する。
【００２７】
文書データ記憶部３１は、クライアント装置２内のワープロソフトで作成し、プリンタドライバによってＰＤＬデータに変換された文書データを記憶する。なお、文書データは、メモリカード，ＣＤ−ＲＯＭ等の記憶媒体や、ＬＡＮ，インターネット等のネットワークを介して取り込んでもよい。
【００２８】
ユーザ通知部２８は、ロケール保存判定部２３で地紋設定のロケールとクライアント装置２のロケールとが一致しないとき、その旨をＰＣの表示部等を用いてユーザに通知するものである。なお、ユーザが地紋設定変換を実施するか否かをＰＣの入力部等を用いて選択できるようにしてもよい。
【００２９】
変換テーブル編集部２９は、ユーザによる入力部からの入力操作に基づいて変換テーブル記憶部３０に記憶されている変換テーブルを編集するものであり、ユーザにより設定の登録、削除、及び変更が行えるように構成されている。
【００３０】
図３は、地紋画像生成部２５で生成される地紋画像の一例を示す。図３（ａ）は、地紋画像を示し、図３（ｂ）は、図３（ａ）の地紋画像３２を通常の複写機（プリンタ）でコピーしたコピー画像を示す。図３（ａ）に示す地紋画像３２は、１画素当たり１ビットの２値モノクロ画像になっており、背景パターン３５と隠し文字３３とからなる。図３（ａ）中の「ＣＯＰＹ」の文字は隠し文字３３の一例であり、ドット状の背景パターン（図３（ａ）では斜線を施して示す。）３５に重畳されている。隠し文字３３は、実際には背景パターン３５の濃度と同一濃度にしてあるため、図３（ａ）のように明瞭に見えるわけではないが、分かりやすいように描いてある。この隠し文字３３の四角枠で囲った部分３２ａを拡大したのが図３の（ｃ）であり、白色矩形と黒色矩形は、それぞれ白色画素と黒色画素を表わしている。
【００３１】
図３の（ｃ）に示すように、隠し文字３３は比較的大きなドットパターンが比較的粗く配置され、背景パターン３５は比較的小さなドットパターンが比較的密に配置されている。そして、隠し文字３３と背景パターン３５は、用紙上にプリント出力した際の平均濃度（単位面積当りの黒画素面積）が同一になるように設けられている。従って、人間の目には、隠し文字３３と背景パターン３５の区別はできず、全面均一のグレイ背景に見えることになる。
【００３２】
図３（ａ）の地紋画像３２を文書データに合成した印刷データをプリンタ３により一旦印刷し、その印刷したプリント紙を他の汎用の複写機等で複写すると、ドットの大きい隠し文字３３は忠実にコピー再現されるが、ドットの小さい背景パターン３５は忠実にコピー再現されない。このため、背景パターン３５の領域は白く抜けるので、文書画像上に隠し文字３３が出現した図３の（ｂ）のようなコピー画像３４になる。これにより、不正な複写を抑制することができる。なお、実際に用紙にプリントされるのは、合成部２６によって図３の（ａ）の地紋画像３２に文書データ記憶部３１からの文書画像を合成した画像となるが、図３（ｂ）では、説明しやすいように、文書画像は図示していない。
【００３３】
図４は、地紋画像に使用する背景パターンの他の例を示す。図３においては、背景パターン３５としてドットパターンを用いたが、図４（ａ），（ｂ）に示すように、斜線状のパターンによる背景パターン３５を用いることができる。図４（ａ），（ｂ）の背景パターン３５は、一方が「０」、他方が「１」というようにデジタルデータを表現することが可能であり、これらを用いて、複写を禁止するコード等を埋め込み、プリンタ３を制御することができる。
【００３４】
（画像処理システムの動作）
次に、画像処理システム１の動作を図５のフローチャートに従って説明する。
【００３５】
まず、ユーザは、クライアント装置２の入力部を操作して、印刷対象の文書データに付加する属性情報の設定を行う。ここで入力される属性は、印刷する文書データの指定情報と、文書データのコピーを制御する情報と、重畳する背景パターンの種類（背景パターン情報）、隠し文字の文字列、フォント、フォントサイズ、文字装飾、文字列の角度、隠し文字の重畳位置、幅、高さ、色等の隠し文字情報等がある。
【００３６】
次に、ユーザは、入力部を操作して印刷データの生成を指示すると、クライアント装置２のＣＰＵは、ＲＯＭに記憶されている印刷データ生成プログラムに従って印刷データの生成制御を以下に説明するように行う。
【００３７】
ロケール取得部２７は、クライアント装置２の言語及び地域等のロケールを現在の設定情報等から取得する（Ｓ１０１）。また、地紋設定取得部２２は、地紋設定保存部２１が保存している地紋設定情報から地紋設定のロケールを取得する（Ｓ１０２）。
【００３８】
次に、ロケール保存判定部２３は、クライアント装置２のロケールと地紋設定のロロケールとを比較し、両者が一致しているか否かを判断する（Ｓ１０３）。例えば、地紋設定情報の隠し文字３３が日本語からなり、クライアント装置２のロケールも日本語の場合は、ロケールが一致していると判断し（Ｙｅｓ）、一方が日本語で他方が英語の場合は、ロケールが一致していないと判断する（Ｎｏ）。
【００３９】
ロケールが一致していれば（Ｓ１０３：Ｙｅｓ）、地紋画像生成部２５は、地紋設定保存部２１に保存されている地紋設定情報から地紋画像を生成する（Ｓ１０４）。
【００４０】
ロケールが一致していなければ（ロケール依存有りの場合）（Ｓ１０３：ＮＯ）、ユーザ通知部２８は、その旨をユーザに通知し（Ｓ１０５）、ユーザに地紋設定情報の変換を行うか否かを選択させる（Ｓ１０６）。変更指示があると（Ｓ１０６：ＹＥＳ）、地紋設定変換部２４は、変換テーブル記憶部３０に記憶されている変換テーブルを参照して地紋設定情報の言語をクライアント装置２の言語に変換して新たな地紋設定情報を生成する（Ｓ１０７）。
【００４１】
上記ステップＳ１０６においてユーザが変更を指示しなかった場合は（Ｓ１０６：ＮＯ）、地紋生成部２５は、地紋設定取得部２２が取得した地紋設定情報から地紋画像を生成する（Ｓ１０４）。
【００４２】
合成部２６は、地紋画像生成部２５によって生成された地紋画像をＰＤＬによるデータに変換し、文書データ記憶部３１から読み出されたＰＤＬによる文書データとを重畳（合成）し、その合成画像を印刷データとしてクライアント装置２内の図示しないインターフェース、およびＮＷ４を介してプリンタ３に出力する。
【００４３】
プリンタ３は、合成部２６からのＰＤＬによる印刷データをビットマップデータに変換して指定の用紙に印刷する。印刷用紙上の画像は、隠し文字および背景パターンからなる地紋画像と文書データとが合成されたものとなる。
【００４４】
（第１の実施の形態の効果）
第１の実施の形態によれば、下記の効果を奏する。
（イ）地紋設定情報のロケールと地紋設定情報を解釈するクライアント装置２のロケールとが異なる場合でも、地紋画像の本来の目的を達成することができ、不正コピーを抑止することができる。
（ロ）文書作成者が意図しないロケールで印刷した場合でも、不正コピー抑止の模様が印刷されるため、印刷環境を問わず、不正コピーの抑止を図ることができる。
【００４５】
なお、上記ステップＳ１０３において、ロケールが一致していない場合に（Ｓ１０３：ＮＯ）、ユーザに地紋設定情報の変換を行うか否かを選択させずに、地紋設定情報を変換してもよい。ユーザの操作の手間を省くことができる。
【００４６】
また、上記ステップＳ１０５の後に、ユーザによる入力部からの入力操作に基づいて変換テーブル編集部２９が変換テーブル記憶部３０に記憶されている変換テーブルを編集し、地紋設定変換部２４がその編集後の変換テーブルに基づいて地紋設定情報を変更してもよい。これにより、変換テーブルに存在しない文字列があっても対応することができる。
【００４７】
また、地紋設定の言語が、変換テーブルに存在していない言語の場合は、？文字や△記号等の特定の文字に変換して地紋画像を生成してもよい。例えば、日本語と英語間の変換テーブルに対して地紋設定の言語が中国語であった場合、隠し文字を日本語の特定の文字に変換する。これにより、文字化けを回避することができ、特定の文字が隠し文字の機能を果たすことが可能となる。
【００４８】
［第２の実施の形態］
図６は、本発明の第２の実施の形態に係る画像処理システムの全体構成、およびクライアント装置の内部構成を示す。本実施の形態は、文書データ記憶部３１が記憶する文書データが変換テーブルを保持しており、地紋設定変換部２４は、文書データが保持している変換テーブルを用いて地紋設定情報の変換を行うものであり、第１の実施の形態と同様に、地紋設定保存部２１、地紋設定取得部２２、ロケール保存判定部２３、地紋設定変換部２４、地紋画像生成部２５、合成部２６、ロケール取得部２７、ユーザ通知部２８、および文書データ記憶部３１を備えるが、変換テーブル編集部２９および変換テーブル記憶部３０を備えていない。
【００４９】
この第２の実施の形態によれば、第１の実施の形態と同様に、不正コピーを抑制することができるとともに、変換テーブルをクライアント装置２が保持する必要がなくなるので、クライアント装置２の構成を簡素化することができる。
【００５０】
なお、図２に示すようにクライアント装置２が変換テーブル（変換テーブル１）を保持し、文書データも変換テーブル（変換テーブル２）を保持してもよい。この場合は、以下の変換方法のうちユーザや管理者が選択し、設定できるようにする。
（i）変換テーブル１の設定にしたがって変換する。
（ii）変換テーブル２の設定にしたがって変換する。
（iii）変換テーブル１の変換結果と変換テーブル２の変換結果を合成する。
更に、（iii）で両者の変換結果に重複する部分があった場合、片方の変換結果を使用しないようにしてもよい。
【００５１】
これにより、変換テーブルを保持した文書データや、変換テーブルを保持していない通常の文書データのいずれに対しても地紋画像を重畳することができる。
【００５２】
［第３の実施の形態］
図７は、本発明の第３の実施の形態に係る画像処理システムを示す。本実施の形態は、
文書データ４０が地紋設定情報４２を保持する場合であり、第１の実施の形態と同様に、地紋設定取得部２２、ロケール保存判定部２３、地紋設定変換部２４、地紋画像生成部２５、合成部２６、ロケール取得部２７、ユーザ通知部２８、変換テーブル編集部２９、および変換テーブル記憶部３０を備えるが、地紋設定保存部２１および文書データ記憶部３１を備えていない。
【００５３】
文書データ４０は、ワープロソフトで作成されたものやＰＤＬに変換されたものでもよい。また、文書データ４０は、メモリカード、ＣＤ−ＲＯＭ等の記録媒体や、ＬＡＮ，インターネット等のネットワークを介してクライアント装置２に取り込んでもよい。
【００５４】
この第３の実施の形態によれば、第１の実施の形態と同様に、不正コピーを抑制することができるとともに、地紋設定保存部２１及び文書データ記憶部３１を省略できるので、クライアント装置２の構成を簡素化することができる。
【００５５】
［第４の実施の形態］
図８は、本発明の第４の実施の形態に係る画像処理システムを示す。本実施の形態は、第１の実施の形態において、印刷データ生成装置を文書データ記憶部３１を除き、プリンタ３に適用し、合成部２６に画像形成部３００を接続したものである。
【００５６】
画像形成部３００は、例えば、電子写真方式により普通紙等にカラーまたは白黒により印刷する構成を有する。なお、合成部２６への文書データは、クライアント装置２からＰＤＬデータにして送られる。
【００５７】
この第４の実施の形態によれば、印刷データ生成装置をプリンタ３に適用したことにより、クライアント装置２では地紋画像３２を意識しないで印刷データを生成することができる。また、印刷データ生成装置をクライアント装置２に設けずに済むため、クライアント装置２に汎用の市販品を用いることができ、クライアント装置２のコストダウンを図ることができる。
【実施例１】
【００５８】
次に、本発明の実施例１について説明する。この実施例１は、第１の実施の形態に対応するものである。
【００５９】
図９は、変換テーブル記憶部３０に格納されている変換テーブルの一例を示す。この変換テーブル３６は、日本語を英語に変換するためのものである。なお、図９の変換テーブル３６中、変換後（英語圏）の番号＃４の（破棄する）は、変換前（日本語圏）の文字列が他の番号（番号＃１、２、３、＃５・・・）のいずれにも該当しない場合、その設定を破棄して出力しないことを示している。また、番号＃５は、文字列に日付情報が設定されている場合、年月日の表示順を変更することを示している。
【００６０】
また、図１０（ａ）は、変換前の地紋設定内容を示し、図１０（ｂ）は変換後の地紋設定内容を示す。地紋設定のロケールが日本語で、クライアント装置２のロケールが英語である場合、「設定１」の文字列「複写無効」は、図９の変換テーブル３６の番号＃１により「ＶＯＩＤ」に変更される。また、「設定２」の２００４年１２月１０日を意味する「０４／１２／１０」は、変換テーブル３６の番号＃５により、「１０／１２／４」と年月日の順番が変更される。「設定３」の「ＡＢＣ株式会社」は、変換テーブル３６の日本語圏に記述されていないため、設定が破棄される。なお、設定を破棄をするか否かの選択は、ユーザにより決定することもできる。
【００６１】
なお、上記実施例１では、変換テーブル３６に無い文字列は破棄されるものとしたが、予め設定された文字列、例えば「ＣＯＰＹ」等に変換するようにしてもよい。
【実施例２】
【００６２】
次に、本発明の実施例２について説明する。この実施例２は、第２の実施の形態に対応するものである。
【００６３】
図１１は、日本語圏と英語圏の変換テーブルを示す。文書データが図１１に示すように日本語圏と英語圏の変換テーブルを保持している。この場合、クライアント装置２のロケールが日本語の場合は「日本語圏」の設定を使用し、英語の場合は「英語圏」の設定を使用する。
【００６４】
この実施例２によれば、日本語圏の地紋設定がなされている文書を英語圏で印刷することが可能になり、例えば、日本からアメリカに電子文書をインターネットを介して送信した場合、受信側で印刷する際に、隠し文字を英語により印刷することができる。
【００６５】
［他の実施の形態］
なお、本発明は、上記各実施の形態に限定されず、その要旨を変更しない範囲内で種々な変形が可能である。例えば、各実施の形態間の構成要素の組合せは任意に行うことができる。
【００６６】
例えば、図７に示す第３の実施の形態では、印刷データ生成装置をクライアント装置に適用した場合について説明したが、同図に示す印刷データ生成装置をプリンタに適用してもよい。
【００６７】
また、上記実施の形態において、ロケールの変換は、文書作成者と文書印刷者の両方で指定できるようにすることができ、この構成により、クライアント装置２に戻ることなく、複合機３から地紋設定の変更を行うことができる。
【図面の簡単な説明】
【００６８】
【図１】本発明の第１の実施の形態に係る画像処理システムの全体構成を示す図である。
【図２】クライアント装置の詳細構成を示すブロック図である。
【図３】（ａ）〜（ｃ）は、地紋画像生成部で生成される地紋画像を示す図である。
【図４】（ａ）、（ｂ）は、地紋画像に使用する背景パターンの他の例を示す図である。
【図５】本発明の第１の実施の形態に係るクライアント装置の動作を示すフローチャートである。
【図６】本発明の第２の実施の形態に係る画像処理システムの全体構成、およびクライアント装置の内部構成を示すブロック図である。
【図７】本発明の第３の実施の形態に係る画像処理システムの全体構成、およびクライアント装置の内部構成を示すブロック図である。
【図８】本発明の第４の実施の形態に係る画像処理システムの全体構成、およびプリンタの内部構成を示すブロック図である。
【図９】本発明の実施例１に係る変換テーブルの一例を示す図である。
【図１０】本発明の実施例１に係り、（ａ）は変換前の地紋設定情報、（ｂ）は変換後の地紋設定情報を示す図である。
【図１１】本発明の実施例２に係る地紋設定情報を示す図である。
【符号の説明】
【００６９】
１  画像処理システム
２  クライアント装置
３  複合機
４  ネットワーク（ＮＷ）
５  印刷データ生成装置
２１  地紋設定保存部
２２  地紋設定取得部
２３  ロケール保存判定部
２４  地紋設定変換部
２５  地紋画像生成部
２６  合成部
２７  ロケール取得部
２８  ユーザ通知部
２９  変換テーブル編集部
３０  変換テーブル記憶部
３１  文書データ記憶部
３２  地紋画像
３３  隠し文字
３４  コピー画像
３５  背景パターン
３６  変換テーブル
４０  文書データ
４１  地紋設定言語
４２  地紋設定情報
３００  画像形成部
【図１】
0004640138.tif 000002
【図２】
0004640138.tif 000003
【図３】
0004640138.tif 000004
【図４】
0004640138.tif 000005
【図５】
0004640138.tif 000006
【図６】
0004640138.tif 000007
【図７】
0004640138.tif 000008
【図８】
0004640138.tif 000009
【図９】
0004640138.tif 000010
【図１０】
0004640138.tif 000011
【図１１】
0004640138.tif 000012